(57)【特許請求の範囲】
【請求項１】
光学像を走査し前記光学像を表す画像データを出力する走査部と、
前記被写体が載置される透明な原稿台を有する本体と、
前記被写体の反射光像を前記走査部に入力する光学系と、
前記本体に揺動自在に連結され前記原稿台を被覆する原稿カバーと、
前記原稿カバーに設けられ前記被写体を照射し前記被写体の透過光像を前記走査部に入力する透過原稿用光源と、
前記原稿カバーに脱着自在に係止される概ね長方形板状の原稿マットであって前記透過原稿用光源を被覆し前記原稿台に載置された前記被写体を押さえる原稿マットと、
前記原稿カバーに設けられ前記原稿マットの互いに隣り合う２つの角部を拘束する第一拘束部と、
前記第一拘束部より揺動軸から遠方において前記原稿カバーに設けられ前記原稿カバーに前記原稿マットを装着するとき前記角部と係合しつつ前記角部を前記拘束部に案内する案内部と、
前記角部をそれぞれ含み互いに向かい合う前記原稿マットの２つの縁辺部に前記角部から互いに等しい距離離れてそれぞれ設けられている嵌合部と、
前記原稿カバーに設けられている第二拘束部であって、前記第一拘束部に前記２つの角部が拘束されているとき前記嵌合部を拘束する第二拘束部と、
を備えることを特徴とする画像読み取り装置。
【請求項２】
前記第二拘束部は前記案内部より前記揺動軸から遠方において前記原稿カバーに設けられていることを特徴とする請求項１に記載の画像読み取り装置。
【請求項３】
前記２つの角部を前記案内部に係止する手段をさらに備え、
前記第二拘束部は、前記２つの角部が前記案内部に係止されているとき前記嵌合部と係合しないことを特徴とする請求項１又は２に記載の画像読み取り装置。
【請求項４】
前記案内部は前記揺動軸に向かって狭まり前記拘束部に前記２つの角部を案内する第一案内壁を有することを特徴とする請求項１、２又は３に記載の画像読み取り装置。
【請求項５】
前記第二拘束部より揺動軸から遠方において前記原稿カバーに設けられ前記第二拘束部から前記揺動軸に垂直方向に延伸する側壁であって前記嵌合部を前記第二拘束部に案内する第二案内壁をさらに備えることを特徴とする請求項１〜４のいずれか一項に記載の画像読み取り装置。
【請求項６】
前記２つの角部の前記嵌合部から遠方の縁辺部は端に接近するにしたがい薄く形成されていることを特徴とする請求項１〜５のいずれか一項に記載の画像読み取り装置。
【請求項７】
前記嵌合部は前記角部をそれぞれ含み互いに向かい合う前記原稿マットの２つの縁辺部から互いに離間する方向に突出していることを特徴とする請求項１〜６のいずれか一項に記載の画像読み取り装置。
【請求項８】
前記原稿マットの前記２つの角部を含む側縁部に向かい合う側縁部に取っ手が設けられていることを特徴とする請求項１〜７のいずれか一項に記載の画像読み取り装置。
【発明の詳細な説明】
【０００１】
【発明の属する技術分野】
本発明は画像読み取り装置に関し、特に反射原稿・透過原稿両用のフラットベッド型画像読み取り装置に関する。
【０００２】
【従来の技術】
図１０は公知の反射原稿・透過原稿両用のフラットベッド型イメージスキャナを示している。原稿カバー２００は本体２１８にヒンジ２１４で揺動自在に連結され、全閉姿勢で原稿台２１６を被覆する。本体２１８には図示しない反射原稿用光源が収容されている。原稿カバー２００には透過原稿用光源が設けられている。
【０００３】
反射原稿を走査するときは、原稿カバー２００に原稿マット２０２を装着して透過原稿用光源の光拡散板２０８を遮蔽する。透過原稿を走査するときは、原稿カバー２００から原稿マット２０２を取り外して光拡散板２０８を露出させる。
【０００４】
原稿マット２０２を原稿カバー２００に脱着自在に係止する構造は次の通りである。原稿カバー２００には光拡散板２０８の周囲に４つの拘束部が設けられている。原稿カバー２００の揺動軸から遠方の２つの拘束部２０６は揺動軸から互いに等しい距離離れた位置に設けられ、原稿マット２０２に設けられた嵌合部２０４を係止する。原稿カバー２００の揺動軸から近方の２つの拘束部２１２は原稿カバー２００の揺動軸から互いに等しい距離離れた位置に設けられ、原稿マット２０２の２つの角部２１０を係止する。
【０００５】
【発明が解決しようとする課題】
しかし、原稿カバー２００は本体２１８に揺動自在に連結されているため、原稿カバー２００に原稿マット２０２を装着することは容易でない。
【０００６】
本発明は、原稿マットの装着が容易な画像読み取り装置を提供することを目的とする。
【０００７】
【課題を解決するための手段】
本発明の画像読み取り装置は、光学像を走査し光学像を表す画像データを出力する走査部と、被写体が載置される透明な原稿台を有する本体と、被写体の反射光像を走査部に入力する光学系と、本体に揺動自在に連結され原稿台を被覆する原稿カバーと、原稿カバーに設けられ被写体を照射し被写体の透過光像を走査部に入力する透過原稿用光源と、原稿カバーに脱着自在に係止される概ね長方形板状の原稿マットであって透過原稿用光源を被覆し原稿台に載置された被写体を押さえる原稿マットと、原稿カバーに設けられ原稿マットの互いに隣り合う２つの角部を拘束する第一拘束部と、第一拘束部より揺動軸から遠方において原稿カバーに設けられ原稿カバーに原稿マットを装着するとき角部と係合しつつ角部を拘束部に案内する案内部と、角部をそれぞれ含み互いに向かい合う原稿マットの２つの縁辺部に角部から互いに等しい距離離れてそれぞれ設けられている嵌合部と、原稿カバーに設けられている第二拘束部であって、第一拘束部に２つの角部が拘束されているとき嵌合部を拘束する第二拘束部と、を備えることを特徴とする。本発明の画像読み取り装置によると、案内部を備えているため原稿マットの装着が容易である。
【０００８】
また本発明の画像読み取り装置によると、第二拘束部は案内部より揺動軸から遠方において原稿カバーに設けられているため、原稿マットの装着がさらに容易である。
【０００９】
また本発明の画像読み取り装置によると、２つの角部を案内部に係止する手段をさらに備え、第二拘束部は、２つの角部が案内部に係止されているとき嵌合部と係合しないため、原稿マットの装着がさらに容易である。
【００１０】
また本発明の画像読み取り装置によると、案内部は揺動軸に向かって狭まり拘束部に２つの角部を案内する第一案内壁を有するため、原稿マットの装着がさらに容易である。
【００１１】
また本発明の画像読み取り装置によると、第二拘束部より揺動軸から遠方において原稿カバーに設けられ第二拘束部から揺動軸に垂直方向に延伸する側壁であって嵌合部を第二拘束部に案内する第二案内壁をさらに備えるため、原稿マットの装着がさらに容易である。
【００１２】
また本発明の画像読み取り装置によると、２つの角部の嵌合部から遠方の縁辺部は端に接近するにしたがい薄く形成されているため、原稿マットの装着がさらに容易である。
【００１３】
また本発明の画像読み取り装置によると、嵌合部は角部をそれぞれ含み互いに向かい合う原稿マットの２つの縁辺部から互いに離間する方向に突出しているため、原稿マットの装着がさらに容易である。
【００１４】
また本発明の画像読み取り装置によると、原稿マットの２つの角部を含む側縁部に向かい合う側縁部に取っ手が設けられているため、原稿マットの装着がさらに容易である。
【００１５】
【発明の実施の形態】
以下、本発明の実施の形態を示す一実施例を図面に基づいて説明する。
図２は、本発明による画像読み取り装置の一実施例としてのイメージスキャナ１０を示す模式図である。イメージスキャナ１０は、直方体の本体１２の上面に原稿台１４を備えた所謂フラットベッド型である。
【００１６】
原稿台１４は概ね矩形のガラス板等の透明板で形成され、その盤面１５上に印刷文書、写真、書籍等の被写体Ｍが載置される。原稿台１４の周縁部には、概ね矩形枠状の原稿ガイド１６が接合されている。原稿ガイド１６は、被写体Ｍに当接し原稿台１４の盤面１５上に被写体Ｍを位置決めする。原稿ガイド１６には、主走査方向に延びる白基準板２８が接合されている。白基準板２８は高反射率均一反射面を有する。
【００１７】
原稿カバー６０はヒンジ１８で本体１２に揺動自在に連結されている。原稿カバー６０は原稿台１４に載置される被写体Ｍを押さえるとともに、反射原稿用光源２２の放射光以外の光が被写体を照らすことがないように原稿台１４を被覆するものである。ヒンジ１８は原稿台１４の盤面１５に対して概ね垂直な全開姿勢で原稿カバー６０を定位させる。
【００１８】
透過原稿用光源８０は原稿カバー６０に収容されている。透過原稿用光源８０は蛍光管ランプ等の管照明装置と光拡散板８２と反射板とから構成されている。図示しない管照明装置はその長手方向軸がキャリッジ２４の往復移動方向と平行に延びる姿勢で原稿カバー６０に設けられている。光拡散板８２は原稿カバー６０の揺動軸と平行な概ね矩形の半透明の導光板から構成され、管照明装置又は反射板から入射する光を拡散させて透過させる。図示しない反射板は樋状に湾曲した薄板状に形成され、その長手方向軸が管照明装置の長手方向軸に平行な姿勢で原稿カバー６０に設けられている。反射板は管照明装置の放射光を光拡散板８２に向けて反射する。
【００１９】
原稿マット７０は原稿カバー６０に脱着自在に係止されている。原稿マット７０は、反射原稿の読み取り時に原稿カバー６０に装着され、透過原稿の読み取り時には原稿カバー６０から取り外される。原稿マット７０は、原稿カバー６０に装着されると光拡散板８２を被覆し、原稿カバー６０から取り外されると光拡散板８２を露出させるように、その形状と取り付け位置とが設定されている。原稿マット７０が全閉姿勢の状態において、原稿マット７０は原稿台１４に載置された被写体Ｍを原稿台１４に密着させるように押さえる。
【００２０】
キャリッジ２４は原稿台１４の盤面１５と平行に往復移動自在に本体１２に収容されている。キャリッジ２４は光学系３０とイメージセンサ２０を搭載している。キャリッジ２４は原稿台１４の盤面１５に対し平行なガイド用のシャフトにスライド自在に係止されている。ガイド用のシャフトの長手方向軸は図２のＢ方向に延伸している。キャリッジ２４は例えばベルトにより牽引されてイメージセンサ２０及び光学系３０を図２のＢ方向に運搬する。
【００２１】
光学系３０は、反射原稿用光源２２、ミラー３４、集光レンズ３６等で構成されている。反射原稿用光源２２は蛍光管ランプ等の管照明装置から構成されている。反射原稿用光源２２は、その長手方向軸がイメージセンサ２０の長手方向軸と平行に延びる姿勢でキャリッジ２４に搭載されている。図２に破線で示すように、反射原稿用光源２２により照射された被写体Ｍの主走査線上の反射光像及び又は透過原稿用光源８０により照射された被写体Ｍの主走査線上の透過光像はミラー３４及び集光レンズ３６によりイメージセンサ２０に結像される。
【００２２】
図３は、イメージスキャナ１０を示すブロック図である。
特許請求の範囲に記載の走査部はイメージセンサ２０、主走査駆動部１０２、副走査駆動部２６及び信号処理部１００から構成される。
【００２３】
イメージセンサ２０は、リニアイメージセンサであって、フォトダイオード等の複数の光電変換素子が図２において紙面垂直方向に直線状に並ぶ姿勢でキャリッジ２４に搭載されている。イメージセンサ２０は、光学系３０により入力される主走査線上の光学像を走査しその光学像の濃淡に相関する電気信号を出力する。イメージセンサ２０は、可視光、赤外光、紫外光等、所定の波長領域の光を光電変換して得られる電荷を一定時間蓄積し、光電変換素子ごとの受光量に応じた電気信号をＣＣＤ（Charge Coupled Device）、ＭＯＳトランジスタスイッチ等を用いて出力する。イメージセンサ２０としてはレンズ縮小型を用いてもよいし密着型を用いてもよい。また、カラーフィルタアレイを用いた３又は６ライン構成のカラーイメージセンサを用いてもよい。また、密着型のエリアイメージセンサを用いてもよい。
【００２４】
主走査駆動部１０２はキャリッジ２４に固定された基板に搭載される。主走査駆動部１０２は、イメージセンサ２０を駆動するために必要な駆動パルスをイメージセンサ２０に出力する駆動回路である。主走査駆動部１０２は、例えば同期信号発生器、駆動用タイミングジェネレータ等から構成される。
【００２５】
副走査駆動部２６は、キャリッジ２４に係止されたベルト、このベルトを回転させるモータ及び歯車列、駆動回路等で構成され本体１２に収容されている。副走査駆動部２６が、キャリッジ２４をベルトで牽引することで図２の紙面垂直方向に延びる主走査線がそれに垂直なＢ方向に移動するため２次元画像の走査が可能となる。
【００２６】
信号処理部１００はアナログ信号処理部１０４、Ａ／Ｄ変換器１０６、ディジタル信号処理部１０８等から構成される。信号処理部１００は、イメージセンサ２０の出力信号を処理し光学系３０によってイメージセンサ２０に入力される光学像を表す画像データを出力する。アナログ信号処理部１０４はキャリッジ２４に固定された基板に搭載される。アナログ信号処理部１０４は、イメージセンサ２０から出力されたアナログ表現の電気信号に対して増幅、雑音低減処理等の処理を施して出力する。Ａ／Ｄ変換器１０６はキャリッジ２４に固定された基板に搭載される。Ａ／Ｄ変換器１０６は、アナログ信号処理部１０４から出力されたアナログ表現の電気信号を所定ビット長のディジタル表現の画像信号に量子化して出力する。ディジタル信号処理部１０８は本体１２のハウジング１３に固定された基板に搭載される。ディジタル信号処理部１０８はＡ／Ｄ変換器１０６から出力された画像信号に対しシェーディング補正、ガンマ補正、画素補間等の各種のディジタル信号処理を施して画像データを作成する。尚、ディジタル信号処理部１０８で施す各種の処理は、制御部１１０又はイメージスキャナ１０に接続されるパーソナルコンピュータ等の画像処理装置１５０で実行するコンピュータプログラムによる処理に置き換えてもよい。
【００２７】
制御部１１０はＣＰＵ１３０、ＲＡＭ１３２及びＲＯＭ１３４を備えるマイクロコンピュータで構成され、本体１２のハウジング１３に固定された基板に搭載される。制御部１１０は反射原稿用光源２２及び透過原稿用光源８０の駆動回路、主走査駆動部１０２、副走査駆動部２６、信号処理部１００等にバスで接続されている。この制御部１１０は、画像処理装置１５０の指令に応じてＲＯＭ１３４に記憶されたコンピュータプログラムを実行し、反射原稿用光源２２、透過原稿用光源８０、主走査駆動部１０２、副走査駆動部２６、信号処理部１００等を制御する。
【００２８】
インタフェース１４０は、ＵＳＢ、ＩＥＥＥ１３９４等の所定の規格に従って構成され、本体１２のハウジング１３に固定された基板に搭載されている。インタフェース１４０は信号処理部１００、制御部１１０等にバス接続されている。インタフェース１４０は信号処理部１００から出力される画像データを画像処理装置１５０に転送する。
【００２９】
以下、原稿カバー６０及び原稿マット７０の構成について詳細に説明する。
図４は原稿カバー６０を示す断面図及び平面図である。
【００３０】
原稿カバー６０のハウジング６９は高さの低い概ね箱状の樹脂材で形成されている。原稿カバー６０のハウジング６９はヒンジ１８で本体１２に連結されることで揺動軸Ａを中心に揺動する。ハウジング６９の中央部には開口部６６が形成されている。開口部６６は光拡散板８２で閉塞されている。原稿カバー６０の先端部には透過原稿用光源８０の作動状態を示すインジケータランプを構成するＬＥＤ６２及び導光体６１が設けられている。原稿カバー６０には揺動軸Ａから近い順に、第一拘束部６８、案内部６７、第二拘束部６５、第二案内壁６４及び凹部６３が設けられている。
【００３１】
第一拘束部６８は揺動軸Ａの近傍の２カ所に揺動軸Ａから等距離に設けられ原稿カバー６０のハウジング６９と一体に形成されている。図５（Ａ）に示すように、第一拘束部６８は互いに直交する側壁６８ｂ、側壁６８ｃ及び天井壁６８ａから構成されている。２つの第一拘束部６８のそれぞれの側壁６８ｂはハウジング６９の平坦面６９ａに直立し揺動軸Ａに垂直な方向に延伸し、互いに平行に向かい合っている。側壁６８ｂは原稿マット７０がハウジング６９の平坦面６９ａに沿って揺動軸Ａに対して平行な方向に移動することを規制する。側壁６８ｃはハウジング６９の平坦面６９ａに直立し揺動軸Ａに平行な方向に延伸している。側壁６８ｃは原稿マット７０がハウジング６９の平坦面６９ａに沿って揺動軸Ａに接近する方向に移動することを規制する。天井壁６８ａはハウジング６９の平坦面６９ａから離れて平坦面６９ａに平行に設けられている。天井壁６８ａは原稿マット７０がハウジング６９の平坦面６９ａから離間する方向に移動することを規制する。天井壁６８ａの一部に平坦面６９ａに接近する方向に突出する突部６７ｅが形成されている。突部６７ｅは特許請求の範囲に記載の「２つの角部を案内部に係止する手段」を構成する。突部６７ｅは原稿マット７０がハウジング６９の平坦面６９ａに沿って揺動軸Ａに垂直な方向に移動することを規制する。
【００３２】
案内部６７は第一拘束部６８より揺動軸Ａから遠方の２カ所に設けられ、それぞれ第一拘束部６８と一体に形成されている。案内部６７は第一案内壁６７ａ及び６７ｂ並びに案内天井壁６７ｄから構成されている。２つの案内部６７のそれぞれの第一案内壁６７ｂはハウジング６９の平坦面６９ａに直立し第一拘束部６８の側壁６８ｂに連なって揺動軸Ａに垂直な方向に延伸し、互いに平行に向かい合っている。第一案内壁６７ｂは原稿マット７０がハウジング６９の平坦面６９ａに沿って揺動軸Ａと平行な方向に移動することを規制しつつ第一拘束部６８に原稿マット７０を案内する。第一案内壁６７ａはハウジング６９の平坦面６９ａに直立し第一案内壁６７ｂに連なっている。２つの案内部６７のそれぞれの第一案内壁６７ａは、第一案内壁６７ｂに「ヘ」の字状に接続され、揺動軸Ａに接近するに従って互いの間隔が狭まるように形成されている。第一案内壁６７ａは原稿マット７０がハウジング６９の平坦面６９ａに沿って揺動軸Ａと平行な方向に移動できる距離を徐々に減少させつつ第一案内壁６７ｂに原稿マット７０を案内する。案内天井壁６７ｄは第一拘束部６８の天井壁６８ａに連なってハウジング６９の平坦面６９ａから離れて平坦面６９ａに平行に設けられている。案内天井壁６７ｄと第一案内壁６７ｂとの間は切り込み６７ｃによって隔たれている。案内天井壁６７ｂはその先端がハウジング６９の平坦面６９ａに垂直な方向に変位するように弾性変形可能である。
【００３３】
第二拘束部６５は原稿カバー６０の先端近傍の２カ所に揺動軸Ａから等距離に設けられ原稿カバー６０のハウジング６９と一体に形成されている。揺動軸Ａと平行な方向における第二拘束部６５の位置は第一拘束部６８の位置と等しい。すなわち、第一拘束部６８と第二拘束部６５とは、矩形の４つの頂点に一致する配置で原稿カバー６０に設けられている。第二拘束部６５は互いに直交する側壁６５ｃ、側壁６５ｅ及び天井壁６５ｄから構成されている。２つの第二拘束部６５のそれぞれの側壁６５ｃはハウジング６９の平坦面６９ａに直立し揺動軸Ａに垂直な方向に延伸し、互いに平行に向かい合っている。側壁６５ｃは原稿マット７０がハウジング６９の平坦面６９ａに沿って揺動軸Ａに対して平行な方向に移動することを規制する。側壁６５ｅはハウジング６９の平坦面６９ａに直立し揺動軸Ａに平行な方向に延伸している。側壁６５ｅは原稿マット７０がハウジング６９の平坦面６９ａに沿って揺動軸Ａに接近する方向に移動することを規制する。天井壁６５ｄはハウジング６９の平坦面６９ａから離れて平坦面６９ａに平行に設けられている。天井壁６５ｄは原稿マット７０がハウジング６９の平坦面６９ａから離間する方向に移動することを規制する。天井壁６５ｄの一部に平坦面６９ａに接近する方向に突出する突部６５ｂが形成されている。突部６５ｂは原稿マット７０がハウジング６９の平坦面６９ａに沿って揺動軸Ａに垂直な方向に移動することを規制する。天井壁６５ｄと側壁６５ｃとの間は切り込み６５ａによって一部隔たれている。天井壁６５ｄはその先端がハウジング６９の平坦面６９ａに垂直な方向に変位するように弾性変形可能である。
【００３４】
第二案内壁６４は第二拘束部６５より揺動軸Ａから遠方の２カ所に設けられ、それぞれ第二拘束部６５と一体に形成されている。２つの第二案内壁６４はハウジング６９の平坦面６９ａに直立し第二拘束部６５の側壁６５ｃに連なって揺動軸Ａに垂直な方向に延伸し、互いに平行に向かい合っている。第二案内壁６４は原稿マット７０がハウジング６９の平坦面６９ａに沿って揺動軸Ａと平行な方向に移動することを規制しつつ第二拘束部６５に原稿マット７０を案内する。
【００３５】
凹部６３は図４に示すように原稿カバー６０の先端中央近傍に形成されている。凹部６３の周縁は弦が揺動軸Ａと平行な概ね半円形に形成されている。凹部６３の深さは揺動軸Ａに接近するほど深くなっている。
【００３６】
図６は原稿マット７０を示す側面図及び平面図である。原稿マット７０は基板７４、白色板７２及びマット７５から構成されている。
【００３７】
基板７４は概ね矩形薄板状の樹脂材で形成されている。基板７４の周縁部には、時計回りの順に、薄肉部７８、角部７６、嵌合部７３、取っ手７１、嵌合部７３、角部７６が形成されている。
【００３８】
薄肉部７８は、基板７４の短方の縁辺部の一方に形成されている。薄肉部７８は端に近いほど薄く形成されている。薄肉部７８の肉厚の最小値はハウジング６９の平坦面６９ａから第一拘束部６８の天井壁６８ａまでの高さの最小値、すなわちハウジング６９の平坦面６９ａから天井壁６８ａの突部６７ｅまでの高さより小さい。薄肉部７８の肉厚の最大値は、ハウジング６９の平坦面６９ａから天井壁６８ａの突部６７ｅまでの高さより大きい。薄肉部７８は、原稿カバー６０に原稿マット７０が取り付けられるとき、第一拘束部６８の突部６７ｅに当接し、突部６７ｅで支持される。
【００３９】
角部７６は、薄肉部７８が形成されている縁辺部の両端の角に形成され、基板７４の短手方向両外側に張り出している。角部７６には厚み方向に突出する突部７７が設けられている。角部７６の肉厚は、薄肉部７８を除き、ハウジング６９の平坦面６９ａから天井壁６８ａの突部６７ｅまでの高さとほぼ等しい。突部７７における角部７６の肉厚は原稿カバー６０のハウジング６９の平坦面６９ａから第一拘束部６８の天井壁６８ａまでの最大高さより小さく、ハウジング６９の平坦面６９ａから天井壁６８ａの突部６７ｅまでの高さより大きい。突部７７から薄肉部７８の端辺までの最長距離は図５に破線で示すように第一拘束部６８の側壁６８ｃから突部６７ｅまでの最短距離とほぼ等しい。
【００４０】
嵌合部７３は、基板７４の長方の縁辺部の両方において角部７６と反対側の角の近傍に形成され、基板７４の短手方向両外側に張り出している。嵌合部７３には厚み方向に突出する突部７３ａが設けられている。嵌合部７３の肉厚は、突部７３ａを除き、原稿カバー６０のハウジング６９の平坦面６９ａから第二拘束部６５の天井壁６５ｄの突部６７ｅまでの高さとほぼ等しい。突部７３ａにおける嵌合部７３の肉厚は、原稿カバー６０のハウジング６９の平坦面６９ａから第二拘束部６５の天井壁６５ｄまでの最大高さより小さく、ハウジング６９の平坦面６９ａから天井壁６５ｄの突部６５ｂまでの高さより大きい。嵌合部７３の角部７６に近方の縁辺部７３ｂは突部７３ａが突出する方向と反対の方向に折れ曲がっている。
【００４１】
取っ手７１は、薄肉部７８が形成されている縁辺部に向かい合う縁辺部に設けられ、内縁が原稿カバー６０の凹部６３の周縁に沿うアーチ状に形成されている。
【００４２】
白色板７２は白色で薄肉の矩形平板状に形成され、その形状及び大きさは原稿台１４の盤面形状に合わせて設定されている。白色板７２は原稿台１４又は被写体Ｍに当接する部分である。
【００４３】
マット７５は基板７４と白色板７２との間に設けられている。マット７５はウレタン材からなり、矩形薄板のスポンジ状に形成されている。マット７５は基板７４及び白色板７２に接着されている。
【００４４】
図７は第一拘束部６８、第二拘束部６５、角部７６及び嵌合部７３の相対的な位置関係を説明するための図である。図８は原稿マット７０が取り外された状態のイメージスキャナ１０を示す斜視図である。図９は原稿マット７０が装着された状態のイメージスキャナ１０を示す斜視図である。図１は原稿マット７０が装着されようとしている状態のイメージスキャナ１０を示す斜視図である。以下、これらの図面に基づき原稿マット７０の装着の手順を説明しつつ、案内部６７、第一拘束部６８、角部７６、第二案内壁６４、第二拘束部６５及び嵌合部７３の相対的な位置関係及び機能について説明する。
【００４５】
原稿マット７０の装着は図８に示すよう原稿カバー６０の全開状態で行われる。原稿カバー６０は自重で閉じることがないようにヒンジ１８の弾性で原稿台１４の盤面１５とほぼ直角をなす全開状態に保持されている。
【００４６】
原稿マット７０の装着は図１に示すように角部７６を案内部６７に係合させることから始める。案内部６７は第二案内壁６４及び第二拘束部６５より揺動軸Ａに近いため、はじめに第二案内壁６４もしくは第二拘束部６５に嵌合部７３を係合させる場合に比べ、原稿カバー６０が安定し、原稿マット７０の装着が容易になる。また、はじめに原稿マット７０の角を原稿カバー６０に係合させる構成なので原稿マット７０の装着が容易である。
【００４７】
２つの第一案内壁６７ａの間隔は角部７６における原稿マット７０の幅より大きく設定されている。このため、原稿カバー６０の平坦面６９ａと第一案内壁６７ａに角部７６を沿わせることによって原稿マット７０の最大幅とほぼ等しい間隔に配設されている２つの第一案内壁６７ｂの間に両方の角部７６を入れることが容易になっている。
【００４８】
原稿カバー６０の平坦面６９ａと第一案内壁６７ａに薄肉部７８を沿わせて原稿カバー６０を揺動軸Ａに接近させる方向に移動させると、角部７６を案内天井壁６７ｄとハウジング６９の平坦面６９ａの間に挿入して案内天井壁６７ｄに角部７６を容易に係合させることができる。また、薄肉部７８が薄肉であることも角部７６を案内天井壁６７ｄに係合させることを容易にしている。角部７６が案内天井壁６７ｄに係合し、薄肉部７８が案内天井壁６７ｄの突部６７ｅに当接した状態又は角部７６の突部７７が案内天井壁６７ｄの先端に当接した状態では、図１に示すように、原稿マット７０はその自重を案内部６７に支持されて案内部６７に係止される。
【００４９】
図１に示す状態から角部７６を中心にして原稿カバー６０に接近する方向に原稿マット７０を回転させ、原稿マット７０と原稿カバー６０とを平行にすると、原稿マット７０は自重で揺動軸Ａに接近する方向に移動し、原稿マット７０と原稿カバー６０の位置関係は図７（Ａ）に示す状態になる。このとき、角部７６は第一案内壁６７ｂ及び案内天井壁６７ｄに係合し、薄肉部７８が案内天井壁６７ｄの突部６７ｅに当接している。突部６７ｅは薄肉部７８を支持することで、原稿マット７０が自重で揺動軸Ａに接近する方向に移動することを規制する。
【００５０】
突部６７ｅに薄肉部７８が当接し、案内部６７に原稿マット７０が係止されているとき、嵌合部７３は、第二案内壁６４に係合し得る位置であって、かつ第二拘束部６５と係合しない位置にある。したがって、角部７６を中心にして原稿カバー６０に接近する方向に原稿マット７０を回転させると、２つの第二案内壁６４の間に両方の嵌合部７３を入れて嵌合部７３と原稿カバー６０の平坦面６９ａとを当接させることができる。嵌合部７３は互いに離間する方向に張り出しているため、第二案内壁６４と嵌合部７３とを係合させることが容易である。
【００５１】
角部７６が案内部６７に係合している状態で、２つの第二案内壁６４及び原稿カバー６０の平坦面６９ａに両方の嵌合部７３を沿わせて原稿マット７０を揺動軸Ａに接近させる方向に押すと、角部７６の薄肉部７８で第一拘束部６８の突部６７ｅを原稿カバー６０の平坦面６９ａから離間させる方向に押し上げ、さらに角部７６の突部７７で第一拘束部６８の突部６７ｅを原稿カバー６０の平坦面６９ａから離間させる方向に押し上げることができる。案内部６７の切り込み６７ｃは天井壁６８ａの変形を容易にしている。このとき、嵌合部７３は第二案内壁６４に案内されつつ、その突部７３ａで第二拘束部６５の突部６５ｂを押し上げて第二拘束部６５に進入し、角部７６は第一案内壁６７ｂ及び案内天井壁６７ｄに案内されつつ、その突部７７で第一拘束部６８の突部６７ｅを押し上げて第一拘束部６８に進入する。
【００５２】
原稿マット７０の薄肉部７８が第一拘束部６８の側壁６８ｃに当接し、嵌合部７３が第二拘束部６５の側壁６５ｅに当接するまで原稿マット７０を揺動軸Ａに接近させる方向に移動させることで原稿マット７０の装着が完了する。図７（Ｂ）は原稿マット７０の装着が完了したときの原稿マット７０と原稿カバー６０の位置関係を示している。このとき、角部７６の突部７７は第一拘束部６８の突部６７ｅより揺動軸Ａの近方に位置し、嵌合部７３の突部７３ａは第二拘束部６５の突部６５ｂより揺動軸Ａの近方に位置している。このととき、第一拘束部６８の突部６７ｅ及び側壁６８ｃ並びに第二拘束部６５の突部６５ｂ及び側壁６５ｅによって原稿マット７０は揺動軸Ａと垂直な方向の移動が規制され、第一拘束部６８の側壁６８ｂ及び第二拘束部６５の側壁６５ｃによって揺動軸Ａと平行な方向の移動が規制され、第一拘束部６８の天井壁６８ａ及び第二拘束部６５の天井壁６５ｄによって原稿カバー６０の平坦面６９ａと垂直な方向の移動が規制されている。すなわち、原稿マット７０は、第一拘束部６８に角部７６を拘束され、第二拘束部６５に嵌合部７３を拘束された状態で図９に示すように原稿カバー６０に装着される。
【００５３】
原稿マット７０を原稿カバー６０から取り外すときは、取っ手７１を持って揺動軸Ａから離間する方向に原稿カバー６０を移動させればよい。
【００５４】
以上、本発明の実施例について説明した。
上記実施例では、角部７６及び嵌合部７３を基板７４の短手方向両外側に張り出すように形成しているが、そのように張り出すように形成しなくともよい。嵌合部７３は基板７４の短手方向両内側に凹むように形成してもよい。また、第一拘束部と第二拘束部の位置関係を逆転させ、角部と嵌合部の位置関係を逆転させ、揺動軸Ａから近方の部位を遠い部位より先に係合させる構成としてもよい。
【図面の簡単な説明】
【図１】本発明の一実施例によるイメージスキャナを示す斜視図である。
【図２】本発明の一実施例によるイメージスキャナを示す模式図である。
【図３】本発明の一実施例によるイメージスキャナを示すブロック図である。
【図４】本発明の一実施例による原稿カバーを示す図であって、（Ａ）は断面図、（Ｂ）は平面図である。
【図５】（Ａ）は本発明の一実施例による第一拘束部及び第二拘束部を示す断面図、（Ｂ）は角部及び嵌合部を示す側面図である。
【図６】本発明の一実施例による原稿マットを示す図であって、（Ａ）は側面図、（Ｂ）は平面図である。
【図７】図７は本発明の一実施例による第一拘束部、第二拘束部、角部及び嵌合部の相対的な位置関係を説明するための模式図である。
【図８】本発明の一実施例によるイメージスキャナを示す斜視図である。
【図９】本発明の一実施例によるイメージスキャナを示す斜視図である。
【図１０】従来のイメージスキャナを示す斜視図である。
【符号の説明】
１０    イメージスキャナ
１２    本体
１３    ハウジング
１４    原稿台
６０    原稿カバー
６４    第二案内壁
６５    第二拘束部
６７    案内部
６７ｅ    突部
６７ａ    第一案内壁
６７ｂ    第一案内壁
６８    第一拘束部
７０    原稿マット
７１    取っ手
７３    嵌合部
７４    基板
７５    マット
７６    角部
７８    薄肉部
８０    透過原稿用光源
８２    光拡散板
【図１】
0003799597.tif 000002
【図２】
0003799597.tif 000003
【図３】
0003799597.tif 000004
【図４】
0003799597.tif 000005
【図５】
0003799597.tif 000006
【図６】
0003799597.tif 000007
【図７】
0003799597.tif 000008
【図８】
0003799597.tif 000009
【図９】
0003799597.tif 000010
【図１０】
0003799597.tif 000011